(57)【要約】      （修正有）【課題】グレーチングを設置するための支持具の耐久性を向上させるとともに、側溝枠内の水流の抵抗を減少させ、製作も容易にしたグレーチングの支持構造を提供する。【解決手段】側溝枠２の左右壁の上部にスリット２ａを形成し、水平部３ａと垂直部３ｂを有する断面Ｌ字状の支持具２を前記スリット２ａに挿入して垂直部３ｂを側溝枠２の外壁に溶着し、側溝枠２の内部に配置した支持具３の水平部３ａにグレーチング１を設置する。よって、施工後に荷重が長期に渡って作用しても、支持具３の水平部３ａが側溝枠２のスリット２ａで支持され、溶着部位にかかる疲労が軽減されて脱落し難いものとなる。また、支持具３の垂直部３ｂが側溝枠２の外部に有するため、水流の抵抗が減少してゴミ等が溜まり難くなる。さらに、支持具３の垂直部３ｂを側溝枠２の外壁に固着するため、内壁に固着する作業と比較して製作が容易となる。【選択図】図３
0003185245.tif 000002
【実用新案登録請求の範囲】
【請求項１】
側溝枠の左右壁の上部にスリットを形成し、水平部と垂直部を有する断面Ｌ字状の支持具を前記スリットに挿入して垂直部を側溝枠の外壁に固着し、側溝枠の内部に配置された支持具の水平部にグレーチングを設置した、グレーチングの支持構造。
【請求項２】
水平部と垂直部を有する断面Ｌ字状の固定具を側溝枠のスリットに挿入して水平部を左右のスリット間に掛け渡すとともに垂直部を側溝枠の外壁に固着し、水平部の端部と側溝枠の外壁に補強板を固着し、垂直部の下端を外側へ水平に折り曲げて張出片を形成し、その張出片を側溝枠の設置面に固定手段で固定し、前記水平部に対してグレーチングをボルト止めした、請求項１記載のグレーチングの支持構造。
【請求項３】
支持具の垂直部の下端を側溝枠の設置面まで形成した、請求項１又は２記載のグレーチングの支持構造。
【請求項４】
支持具の垂直部の下端を外側へ水平に折り曲げて張出片を形成し、その張出片を側溝枠の設置面に固定手段で固定した、請求項３記載のグレーチングの支持構造。
【考案の詳細な説明】
【技術分野】
【０００１】
本考案は、グレーチングの支持強度を向上させる技術に関する。
【背景技術】
【０００２】
従来では、図６に示すように、水路として断面Ｕ字状の金属製の側溝枠１１を用いたものがあり、その左右の内壁にグレーチング１０を設置するための断面Ｌ字状の支持具１２とグレーチング１０をボルト止めするための断面逆Ｕ字状の固定具（図示は省略）を溶着し、その支持具１２にグレーチング１０を載せて固定具に対してボルト止めしている。符号１３は張出片、１４はアンカーボルト、Ｅは縁石、Ｇは路盤、Ｍはモルタルである。
【０００３】
ところで、前記技術では、車両や人がグレーチング１０の上を通行すると、その度に支持具１２の溶着部位にせん断荷重がかかる。したがって、長期に渡って使用していると、支持具１２の溶着部位に疲労が蓄積して脱落することがあり、グレーチング１０が側溝枠１１に落下した場合は、思わぬ事故や怪我に繋がることがあった。また、支持具１２の垂直部が側溝枠１１の内部に有しているから、水流の抵抗となってゴミ等が溜まりやすくなる問題もあった。さらに、支持具１２や固定具を側溝枠１１の内壁に溶着する作業は熟練を要するものであった。
【先行技術文献】
【非特許文献】
【０００４】
【非特許文献１】”石田鉄工株式会社ホームページ／ドレンゲッターH-120・H-150・H-200”、［online］、石田鉄工株式会社、［平成２５年５月２１日検索］、インターネット＜URL:http://www.ishida-taihei.co.jp/doren/TA-120-kakaku.html＞
【考案の概要】
【考案が解決しようとする課題】
【０００５】
本考案が解決しようとする課題は、従来のこれらの問題点を解消し、グレーチングを設置するための支持具の耐久性を向上させるとともに、側溝枠内の水流の抵抗を減少させ、さらに製作も容易にすることにある。
【課題を解決するための手段】
【０００６】
かかる課題を解決した本考案の構成は、
１）  側溝枠の左右壁の上部にスリットを形成し、水平部と垂直部を有する断面Ｌ字状の支持具を前記スリットに挿入して垂直部を側溝枠の外壁に固着し、側溝枠の内部に配置された支持具の水平部にグレーチングを設置した、グレーチングの支持構造
２）  水平部と垂直部を有する断面Ｌ字状の固定具を側溝枠のスリットに挿入して水平部を左右のスリット間に掛け渡すとともに垂直部を側溝枠の外壁に固着し、水平部の端部と側溝枠の外壁に補強板を固着し、垂直部の下端を外側へ水平に折り曲げて張出片を形成し、その張出片を側溝枠の設置面に固定手段で固定し、前記水平部に対してグレーチングをボルト止めした、請求項１記載のグレーチングの支持構造
３）  支持具の垂直部の下端を側溝枠の設置面まで形成した、前記１）又は２）記載のグレーチングの支持構造
４）  支持具の垂直部の下端を外側へ水平に折り曲げて張出片を形成し、その張出片を側溝枠の設置面に固定手段で固定した、前記３）記載のグレーチングの支持構造
にある。
【考案の効果】
【０００７】
本考案の前記１）記載の構成によれば、施工後に荷重が長期に渡って作用しても、支持具の水平部がスリットで支持されて固着部位にかかる疲労が軽減され、従来技術と比較して耐久性が向上する。また、支持具の垂直部が側溝枠の外部に有しているから、水流の抵抗が減少してゴミ等が溜まり難くなる。さらに、支持具の垂直部を側溝枠の外壁に固着するから、内壁に固着する作業と比較して製作が容易で熟練を要しないものとなる。
【０００８】
本考案の前記２）記載の構成によれば、固定具の水平部がスリットで支持されて固着部位にかかる疲労が軽減される。また、固定具の垂直部が側溝枠の外部に有しているから、水流の抵抗が減少してゴミ等が溜まり難くなる。さらに、固定具の垂直部を側溝枠の外壁に固着するから、内壁に固着する作業と比較して製作が容易で熟練を要しないものとなる。
【０００９】
本考案の前記３）及び４）記載の構成によれば、支持具の水平部がスリットで支持されるとともに、垂直部の下端も側溝枠の設置面で同時に支持されて固着部位にかかる疲労がより軽減され、耐久性がさらに向上する。
【図面の簡単な説明】
【００１０】
【図１】実施例のグレーチングと側溝枠の平面図である。
【図２】実施例の側溝枠の側面図である。
【図３】図１のＡ−Ａ線断面図である。
【図４】図１のＢ−Ｂ線断面図である。
【図５】実施例の他の例のグレーチングの設置状態を示す断面図である。
【図６】従来のグレーチングの設置状態を示す断面図である。
【考案を実施するための形態】
【００１１】
以下、本考案を実施するための形態を代表的な実施例と図面に基づいて具体的に説明する。なお、本考案は以下の実施例に限定されるものではなく、様々な組み合わせや変形が可能である。また、本考案でいう固着とは、金属製の部材同士を溶着する方法の他、非金属製の部材同士を接着剤で接着する方法が含まれる。
【実施例】
【００１２】
本実施例のグレーチング１の設置状態を図１〜５に示す。グレーチング１は金属製の側溝用で、その下面に開口されたボルト台１ａを溶着している。側溝枠２は前後方向に長い断面Ｕ字状の金属製で、その左右の側壁の上部に複数のスリット２ａを所定間隔をおいて形成している。
【００１３】
支持具３は、水平部３ａと垂直部３ｂを有する断面Ｌ字状の金属製で、左右のスリット２ａに挿入して垂直部３ｂを側溝枠２の外壁に溶着し、水平部３ａを側溝枠２内に配置してグレーチング１の設置面を形成している。片側の支持具３は、その垂直部３ｂの下端を側溝枠２の設置面まで伸ばして外側へ水平に折り曲げ、ボルト穴付きの張出片３ｃを形成している。
【００１４】
固定具４は、ボルト穴付きの水平部４ａと垂直部４ｂを有する断面Ｌ字状の金属製で、その水平部４ａを左右のスリット２ａ間に掛け渡して垂直部４ｂを側溝枠２の外壁に溶着し、水平部４ａの端部と側溝枠２の外壁に補強板４ｄを固着している。垂直部４ｂの下端は側溝枠２の設置面まで伸ばして外側へ水平に折り曲げ、ボルト穴付きの張出片４ｅを形成している。なお、固定具４は側溝枠２の前後端のスリット２ａに溶着し、支持具３はそれ以外のスリット２ａ（１ｍ当たり２〜３箇所）に溶着している。
【００１５】
この側溝枠２を縁石Ｅの横に配置して支持具３の垂直部３ｂと補強板４ｄを縁石Ｅに密接し、張出片３ｃ，４ｅをアンカーボルト６やコンクリート釘、ピン等の固定手段で設置面に固定し、その上面に路盤Ｇを形成する。側溝枠２と縁石Ｅの間の隙間にはモルタルＭを充填する。そして、グレーチング１を支持具３の水平部３ａと固定具４の水平部４ａに載置し、固定ボルト５をボルト台１ａと固定具４の水平部４ａの開口を通じてナット４ｃと螺合する。
【００１６】
本実施例によれば、施工後に荷重が長期に渡って作用しても、支持具３の水平部３ａと固定具４の水平部４ａがスリット２ａで支持されて溶着部位にかかる疲労が軽減され、従来技術と比較して脱落し難いものとなっている。また、支持具３の垂直部３ｂと固定具４の垂直部４ｂは側溝枠２の外部に有しているから、側溝枠２内の水流の抵抗が減少してゴミ等が溜まり難くなっている。さらに、支持具３の垂直部３ｂと固定具４の垂直部４ｂを側溝枠２の外壁に溶着したから、内壁に溶着する作業と比較して製作が容易で熟練を要しないものとなっている。
【００１７】
さらに、図５に示すように、左右両方の支持具３の垂直部３ｂの下端を側溝枠２の設置面まで形成すると、荷重時に上下左右で同時に支持されて溶着部位にかかる疲労がより軽減され、耐久性がさらに向上するものとなる。
【産業上の利用可能性】
【００１８】
本考案の技術は、道路、歩道、公園、駅、駐車場、店舗、学校、工場、ガソリンスタンド、プール等、屋内外に設置される全てのグレーチングに利用できる。
【符号の説明】
【００１９】
１    グレーチング
１ａ  ボルト台
２    側溝枠
２ａ  スリット
３    支持具
３ａ  水平部
３ｂ  垂直部
３ｃ  張出片
４    固定具
４ａ  水平部
４ｂ  垂直部
４ｃ  ナット
４ｄ  補強板
４ｅ  張出片
５    固定ボルト
６    アンカーボルト（固定手段）
１０  グレーチング
１１  側溝枠
１２  支持具
１３  張出片
１４  アンカーボルト
Ｅ    縁石
Ｇ    路盤
Ｍ    モルタル
【図１】
0003185245.tif 000003
【図２】
0003185245.tif 000004
【図３】
0003185245.tif 000005
【図４】
0003185245.tif 000006
【図５】
0003185245.tif 000007
【図６】
0003185245.tif 000008